(57)【特許請求の範囲】
【請求項１】
インストルメントパネルの内部に主ハ−ネスが配置され、主ハ−ネスから枝分かれした分岐ハ−ネスがインストルメントパネルの各種電装部品に接続されている配線構造において、分岐ハ−ネスを湾曲させて係止部を構成し、分岐ハ−ネスの先端近くを仮固定部を介して主ハ−ネスに一体化させ、この仮固定部は一定値以上の力で分岐ハ−ネスが主ハ−ネスから分離する構造とされ、インストルメントパネルの一部に明けた電装部品の取付孔に蓋部材を合致させ、この蓋部材の裏面に設置した係止片に分岐ハ−ネスの係止部を保持させたことを特徴とするインストルメントパネルのハ−ネス配置構造。
【請求項２】
請求項１において、電装部品がスピーカーであることを特徴とするインストルメントパネルのハ−ネス配置構造。
【請求項３】
インストルメントパネルの内部に主ハ−ネスが配置され、主ハ−ネスから枝分かれした分岐ハ−ネスがインストルメントパネルの各種電装部品に接続されている配線構造において、分岐ハ−ネスを湾曲させて係止部を構成し、分岐ハ−ネスの先端近くを仮固定部を介して主ハ−ネスに一体化させ、この仮固定部は一定値以上の力で分岐ハ−ネスが主ハ−ネスから分離する構造とされ、インストルメントパネルの一部に明けた電装部品の取付孔に蓋部材を合致させ、取付孔の近くに係止部が配置され、蓋部材を外すと係止部を引っ張って分岐ハ−ネスが引き出せるように構成したことを特徴とするインストルメントパネルのハ−ネス配置構造。
【発明の詳細な説明】
【０００１】
【発明の属する技術分野】
自動車のインストルメントパネルには、各種のオプション部品が取り付けられる。このような部品は、生産ラインでは装着されないで、ユーザの希望に応じて販売店で装着されるものがある。本発明は、このようなオプション部品の配線に関している。
【０００２】
【従来の技術】
一般的に、インストルメントパネルの内側に配置されている主ハ−ネスは、車体のパネル部材に固定されていて、それから分岐ハ−ネスが枝分かれしている。一方、インストルメントパネルに電装部品をオプション部品として取り付けるときには、あらかじめ準備された分岐ハ−ネスを電装部品に接続する。この電装部品は、たとえばスピーカーであり、それをはめ込むためにインストルメントパネルに取付孔が明けてある。この孔は、通常は蓋部材で閉じてある。分岐ハ−ネスをスピーカーに接続するときには、分岐ハ−ネスを取付孔に通して接続作業がおこなわれる。
【０００３】
上述のような先行技術においては、蓋部材を外したときに分岐ハ−ネスがどこにあるのかが分からないので、インストルメントパネルを車体に取り付けたままでは、電装部品との結線ができない。そこで、インストルメントパネルをわざわざ外して分岐ハ−ネスをを引出し、取付孔を通過させて電装部品に結線をしている。あるいは、電装部品側からの電線を取付孔に通して、分岐ハ−ネスに接続している。このような接続が終了してから、再び、インストルメントパネルを車体に取り付けている。
【０００４】
【発明が解決しようとする課題】
上述のようにインストルメントパネルのような大型ユニットの脱着をおこなうことは、作業工数が多大なものとなり、電装オプション部品の取付けに長時間を要すると共に、顧客が負担する費用の面でも不利である。さらに、このような大がかりな脱着作業では、作業者の熟練度合いが不十分であると、インストルメントパネルの固定箇所に傷をつける恐れがある。
【０００５】
【課題を解決するための手段とその作用】
本発明は、上述のような課題を解決するために発案されたもので、請求項１の発明は、インストルメントパネルの内部に主ハ−ネスが配置され、主ハ−ネスから枝分かれした分岐ハ−ネスがインストルメントパネルの各種電装部品に接続されている配線構造において、分岐ハ−ネスを湾曲させて係止部を構成し、分岐ハ−ネスの先端近くを仮固定部を介して主ハ−ネスに一体化させ、この仮固定部は一定値以上の力で分岐ハ−ネスが主ハ−ネスから分離する構造とされ、インストルメントパネルの一部に明けた電装部品の取付孔に蓋部材を合致させ、この蓋部材の裏面に設置した係止片に分岐ハ−ネスの係止部を保持させたことを特徴としている。
【０００６】
蓋部材を外してそのまま引き離すと、係止片が分岐ハ−ネスの係止部を引っかけた状態で引っ張ることとなり、この力が仮固定部に作用してその値が一定値以上になると、分岐ハ−ネスが主ハ−ネスから分離させられる。この分離によって、係止片が分岐ハ−ネスを引き出すこととなり、分岐ハ−ネスは取付孔を通過して外部に露出する。その後、電装部品の端子に分岐ハ−ネスを接続し、引き続いて電装部品を取付孔にはめ込んで固定する。
【０００７】
上述のように、蓋部材を外す動作に連動して、分岐ハ−ネスが引き出されるので、分岐ハ−ネスをいちいち探すようなことが回避できる。このような単純な動作で分岐ハ−ネスが引き出されるので、インストルメントパネルを外すようなことは全く不要になり、作業性が大幅に簡素化され、同時に、顧客負担の費用低減に有効である。湾曲形状をした係止部であるから、蓋部材を取付孔にはめ込むときに、あらかじめ係止片で係止部を引っかけておけばよく、蓋部材の取り付け時の作業も簡単なものにすることができる。
【０００８】
請求項２の発明は、請求項１において、電装部品がスピーカーであることを特徴としている。
【０００９】
スピーカーのような部品は、しばしばオプション部品として後付けされるので、このように頻度の高い場合にとって、当発明は好都合である。
【００１０】
請求項３の発明は、インストルメントパネルの内部に主ハ−ネスが配置され、主ハ−ネスから枝分かれした分岐ハ−ネスがインストルメントパネルの各種電装部品に接続されている配線構造において、分岐ハ−ネスを湾曲させて係止部を構成し、分岐ハ−ネスの先端近くを仮固定部を介して主ハ−ネスに一体化させ、この仮固定部は一定値以上の力で分岐ハ−ネスが主ハ−ネスから分離する構造とされ、インストルメントパネルの一部に明けた電装部品の取付孔に蓋部材を合致させ、取付孔の近くに係止部が配置され、蓋部材を外すと係止部を引っ張って分岐ハ−ネスが引き出せるように構成したことを特徴としている。
【００１１】
請求項１の発明では、蓋部材の係止片で分岐ハ−ネスの係止部を引き出す形式であったが、請求項３の発明は、このような係止片を設けないで分岐ハ−ネスを引き出すものである。すなわち、蓋部材を開けると直ぐ傍に係止部があるので、ここを手またはフック状の工具で引っ張ることによって、分岐ハ−ネスを簡単に引き出して電装部品に接続するのである。ここでは、湾曲した係止部を取付孔および蓋部材の直ぐ近くに待機させておいて、蓋部材を開いたらその場で引き出すという考え方である。
【００１２】
【発明の実施の形態】
以下、図示の実施形態にしたがって、本発明をくわしく説明する。図１は、自動車の後方からみた縦断面図である。この実施形態は、インストルメントパネル１の上板２にスピーカーを取り付ける場合である。インストルメントパネル１は、主として上板２、前板３、横板４によってほぼ箱型をしており、ポリプロピレン樹脂で成形されている。上板２には取付孔５が明けられ、ここに蓋部材６がぴったりとはめこんである。そして、くわしくは図示していないが、インストルメントパネル１は車体の一部、すなわちダッシュパネル７やフロントピラ−８等に結合してある。
【００１３】
ワイヤーハーネス９は主ハ−ネス１０、主ハ−ネス１０から枝分かれした分岐ハ−ネス１１および分岐ハ−ネス１１に取り付けたカプラー１２等が主な構成部材となっている。主ハ−ネス１０は、インストルメントパネル１の内部に配置されており、ここではダッシュパネル３に、複数個の固定具１３を用いて取り付けてある。固定具１３の一例を図２に示してある。これは、リング部１４に肉厚の取付片１５が一体に成形されており、ダッシュパネル３に溶接した取付金具１６が差し込まれて、ダッシュパネル３への取付けがなされている。主ハ−ネス１０は自由に湾曲できるコルゲートチューブ１７内に収容してあり、このチューブがリング部１４内に通してある。なお、ここでは主ハ−ネス１０がダッシュパネルに固定してある場合を示したが、場合によっては、インストルメントパネル１の内面に取り付けられている場合もある。
【００１４】
分岐ハ−ネス１１は、湾曲させられたループ状の形とされ、この部分が係止部１８とされている。分岐ハ−ネス１１の先端近くを仮固定部１９を介して主ハ−ネス１０に一体化してある。仮固定部１９は一定値以上の力で分岐ハ−ネス１１が主ハ−ネス１０から分離する機能を有するもので、ここでは多数のスリット２０が設けられた粘着テープ２１で、両ハーネス１０、１１が巻き付けてある。
【００１５】
蓋部材６の裏面には、フック状の係止片２２が一体に成形してあり、ここに湾曲した係止部１８が引っかけてある。このような引っかけを成立させるために、係止部１８は取付孔５および蓋部材６の近くに配置してある。なお、スピーカー２３は図２に二点鎖線で図示してあり、スピーカー２３側の電線２４にカプラー２５が設置してある。
【００１６】
スピーカーを取り付けるときには、蓋部材６を開けてそのまま引っ張ると、係止片２２が分岐ハ−ネスの係止部１８を引っかけた状態で引っ張ることとなり、この力が仮固定部１９に作用してその値が一定値以上になると、分岐ハ−ネス１１が主ハ−ネス１０から分離させられる。この分離は、一定値以上の力が粘着テープ２１に作用すると、その力はスリット２０に集中してそこから引き裂かれて、上記分離がなされる。これによって、係止片２２が分岐ハ−ネス１１を引き出すこととなり、分岐ハ−ネス１１は取付孔５を通過して外部に露出する。その後、カプラー１２をスピーカー２３のカプラー２５に結合する。それから、図２の二点鎖線図示のようにスピーカー２３を取付孔５にはめ込んで固定する。
【００１７】
なお、蓋部材６を取付孔５にはめ込むときには、係止部１１を少し引き出して係止片２２に引っかけてから、ぴったりと閉じておくのである。
【００１８】
仮固定部１９は、図５のような構造でも実現することができる。これは、ポリプロピレン樹脂のような弾性のある合成樹脂で形成したもので、ほぼ馬蹄形のクランプ片２６と保持部２７から構成されている。クランプ片２６で主ハ−ネス１０を弾性的に挟み付けており、保持部２７に係止部１８が通してある。係止部１８が引っ張られると、クランプ片２６が弾性的に開いて主ハ−ネス１０から外れる。すなわち、分岐ハ−ネス１１が主ハ−ネス１０から分離するのである。
【００１９】
もうひとつの発明について説明する。先の発明は、蓋部材の係止片で分岐ハ−ネスの係止部を引き出す形式であったが、この発明では、このような係止片を採用していない。すなわち、図６のように蓋部材６を開けると直ぐ傍に係止部１８があるので、ここを手またはフック状の工具で引っ張ることによって、分岐ハ−ネス１１を簡単に引き出してスピーカー２３に接続するのである。ここでは、湾曲した係止部１８を取付孔５および蓋部材６の直ぐ近くに待機させておいて、蓋部材６を開いたらその場で引き出すという考え方である。なお、仮固定部１９は先の実施形態と同様であり、一定値以上の力が作用すると、分岐ハ−ネス１１が主ハ−ネス１０から外れる。
【００２０】
本発明によれば、蓋部材を外す動作に連動して、分岐ハ−ネスが引き出されるので、分岐ハ−ネスをいちいち探すようなことが回避できる。このような単純な動作で分岐ハ−ネスが引き出されるので、インストルメントパネルを外すようなことは全く不要になり、作業性が大幅に簡素化され、同時に、顧客負担の費用低減に有効である。湾曲形状をした係止部であるから、蓋部材を取付孔にはめ込むときに、あらかじめ係止片で係止部を引っかけておけばよく、蓋部材の取り付け時の作業も簡単なものとなる。そして、スピーカーのように取付け頻度の高い部品の場合には、より一層効果的である。
【００２１】
前述のような係止片を止めて、係止部の湾曲した箇所を手またはフック状の工具で直接引き出すことによって、やはり前述と同様な作用効果が得られる。すなわち、蓋部材を開けると直ぐ傍に係止部があるので、ここを手またはフック状の工具で引っ張ることによって、分岐ハ−ネスを簡単に引き出して電装部品に接続するのである。ここでは、湾曲した係止部を取付孔および蓋部材の直ぐ近くに待機させておいて、蓋部材を開いたらその場で引き出すという考え方である。
【図面の簡単な説明】
【図１】本発明の実施形態を示す縦断面図である。
【図２】図１の（２）−（２）断面図である。
【図３】粘着テープの平面図である。
【図４】インストルメントパネルの一部を示す立体図である。
【図５】他の仮固定部を示す断面図である。
【図６】他の実施形態を示す縦断面図である。
【符号の説明】
１        インストルメントパネル
１０      主ハ−ネス
１１      分岐ハ−ネス
２３      電装部品
１８      係止部
１９      仮固定部
５        取付孔
６        蓋部材
２２      係止片
【図１】
0003839657.tif 000002
【図２】
0003839657.tif 000003
【図３】
0003839657.tif 000004
【図４】
0003839657.tif 000005
【図５】
0003839657.tif 000006
【図６】
0003839657.tif 000007